(57)【特許請求の範囲】
【請求項１】
ネットワークを介して接続された、電子機器と、所定のデータが保存されているデータ管理サーバと、を備え、前記データ管理サーバは、前記電子機器又はネットワークの障害を検知して障害検知情報を生成すると共に前記障害検知情報を閲覧可能に保持する電子機器監視システムであって、
前記電子機器は、予め設定された所定時間の経過毎に繰り返し前記データ管理サーバへアクセスして前記所定のデータを取得する取得部を備えており、前記データ管理サーバは、前記所定時間よりも長い時間間隔に設定された管理設定時間に亘って、前記電子機器の取得部が前記データ管理サーバにアクセスしているか否かを判定する判定部と、前記判定部により前記管理設定時間に亘って前記データ管理サーバにアクセスしていないと判定された前記電子機器の固有情報を特定して前記障害検知情報を生成する解析部と、前記解析部において生成された前記障害検知情報を閲覧可能に保持する情報保持部と、を備え、
前記電子機器は、テレビの全チャンネルにおいて放送された全番組を所定期間に亘って録画しうる録画装置であると共に、前記データ管理サーバは、電子番組表データを有する電子番組表データ管理サーバであり、前記録画装置は、前記取得部により前記電子番組表データ管理サーバにアクセスして前記電子番組表データを取得するように構成されており、前記電子番組表データ管理サーバは、前記判定部において前記管理設定時間に亘って前記録画装置がアクセスしているか否かを判定し、
前記録画装置は、受信したデジタル放送を映像信号に変換して出力する信号変換部と、前記信号変換部より出力された映像信号を圧縮して保存用データを生成するデータ変換部と、前記保存用データを保存する記憶部と、を備え、前記信号変換部と前記データ変換部及び前記取得部とは、テレビのチャンネル毎に個別に設けられると共に、前記録画装置に予め設定された前記所定時間は、テレビのチャンネル毎に個別に設定されており、前記録画装置の前記取得部は、前記所定時間に基づいて、前記電子番組表データ管理サーバにアクセスしてテレビのチャンネル毎の前記電子番組表データを取得し、前記電子番組表データ管理サーバの判定部は、前記管理設定時間に亘って複数の前記取得部がアクセスしているかを個別に判定することを特徴とする電子機器監視システム。
【請求項２】
前記解析部は、前記管理設定時間に亘ってアクセスしていない前記電子機器の固有情報を一覧表に集計して前記障害検知情報を生成することを特徴とする請求項１記載の電子機器監視システム。
【請求項３】
前記電子機器は、前記電子機器を構成する各構成部品に関する情報を取得して動作情報データを生成する情報生成部を備えており、前記データ管理サーバへ前記動作情報データを送信することを特徴とする請求項２記載の電子機器監視システム。
【請求項４】
前記電子機器は、モニタ装置を備えたコンピュータに接続されており、前記コンピュータは、前記電子番組表データ管理サーバと通信可能に接続されており、利用者の操作によるデータの取得の際には、前記コンピュータから前記電子番組表データ管理サーバにアクセスされることを特徴とする請求項３記載の電子機器監視システム。
【請求項５】
請求項１または請求項２のいずれか１項に記載の電子機器監視システムを構成するデータ管理サーバ。
【発明の詳細な説明】
【技術分野】
【０００１】
本発明は、電子機器の故障やネットワーク障害を監視しうる監視システム等に関する。
【背景技術】
【０００２】
近年、種々の電子機器とネットワークを介して提供されるサービスが普及している。例えば、ネットワークを介してＥＰＧ（電子番組ガイド）サーバと接続され、定期的に最新の番組表情報を取得する一方で、番組表情報を基にテレビ番組を受信及び録画することができる録画装置がある。
【０００３】
このようなテレビ番組録画装置は、例えば企業や家庭に設置され、複数のテレビ局の全放送を同時に長期間に亘り録画してデータベース化しておくことにより、利用者の意図した映像を自在に取り出して再生することができる。
【０００４】
しかしながら、テレビ番組録画装置の故障やネットワーク障害等により最新の番組表情報を取得できていない場合、番組を録画することができないという不具合があった。特に前述のように用いられるテレビ番組録画装置においては、一部のテレビ番組放送も逃さずに録画したいという要望がある。
【０００５】
そこで、仮にテレビ番組録画装置の故障やネットワーク障害、又は停電等の事態が発生した際にも録画ができていない期間を最小限にするため、各企業や家庭に設置されたテレビ番組録画装置やネットワークに生じた障害をいち早く管理者側で認識して顧客からの連絡を待たずに管理者側より自発的に連絡をとり即座に点検及び修理対応が可能となることが望まれていた。
【０００６】
このように顧客側の装置の状態を監視することができるものとしては、特許文献１の情報処理システムがある。特許文献１の情報処理システムは、サーバ装置から各所に設置される電子機器に対して、電子機器の動作情報を送信することを指示する命令を送信して、電子機器が動作情報を返信するように構成されている。
【０００７】
特許文献１の情報処理システムによれば、電子機器から返信される動作情報より電子機器が正常に稼働しているかを把握することができると共に、電子機器からの返信が無い場合には、ネットワーク障害が生じていることをサーバ装置側で認識することができるため、管理者側にて初動対応することができる。
【０００８】
しかしながら、近年では、ネットワークからのウイルス等の侵入の問題があり、電子機器のセキュリティの強化がなされる状況にあり、サーバ装置側から命令を送信して、電子機器側でこれを受信するという方式では命令信号と共にウイルスが電子機器に侵入する可能性を否定できず好ましくなかった。
【０００９】
また、電子機器のセキュリティレベルは都度変更されうるため、セキュリティレベルが強化された場合には、サーバ装置からの命令の受信がブロックされてしまい適正に監視できない可能性があった。
【００１０】
そこで、前述のような問題を回避して、各企業や家庭に設置された電子機器の稼働状況を把握し、故障やネットワーク障害が発生している電子機器がある場合には、当該電子機器を特定して管理者に対して知らせることができる電子機器の監視システムが望まれていた。
【特許文献１】公開特許第２００６−３３８６８１号公報
【発明の開示】
【発明が解決しようとする課題】
【００１１】
そこで、本発明は、このような従来の要請に基づくものであって、電子機器のセキュリティを脅かすことなく、電子機器の故障やネットワーク障害等の不具合を監視して管理者側に知らせることができる電子機器監視システムを提供することを課題とする。
【課題を解決するための手段】
【００１２】
前記課題達成のため、請求項１記載の発明における電子機器監視システムにあっては、ネットワークを介して接続された、電子機器と、所定のデータが保存されているデータ管理サーバと、を備え、前記データ管理サーバは、前記電子機器又はネットワークの障害を検知して障害検知情報を生成すると共に前記障害検知情報を閲覧可能に保持する電子機器監視システムであって、
前記電子機器は、予め設定された所定時間の経過毎に繰り返し前記データ管理サーバへアクセスして前記所定のデータを取得する取得部を備えており、前記データ管理サーバは、前記所定時間よりも長い時間間隔に設定された管理設定時間に亘って、前記電子機器の取得部が前記データ管理サーバにアクセスしているか否かを判定する判定部と、前記判定部により前記管理設定時間に亘って前記データ管理サーバにアクセスしていないと判定された前記電子機器の固有情報を特定して前記障害検知情報を生成する解析部と、前記解析部において生成された前記障害検知情報を閲覧可能に保持する情報保持部と、を備え、
前記電子機器は、テレビの全チャンネルにおいて放送された全番組を所定期間に亘って録画しうる録画装置であると共に、前記データ管理サーバは、電子番組表データを有する電子番組表データ管理サーバであり、前記録画装置は、前記取得部により前記電子番組表データ管理サーバにアクセスして前記電子番組表データを取得するように構成されており、前記電子番組表データ管理サーバは、前記判定部において前記管理設定時間に亘って前記録画装置がアクセスしているか否かを判定し、前記録画装置は、受信したデジタル放送を映像信号に変換して出力する信号変換部と、前記信号変換部より出力された映像信号を圧縮して保存用データを生成するデータ変換部と、前記保存用データを保存する記憶部と、を備え、前記信号変換部と前記データ変換部及び前記取得部とは、テレビのチャンネル毎に個別に設けられると共に、前記録画装置に予め設定された前記所定時間は、テレビのチャンネル毎に個別に設定されており、前記録画装置の前記取得部は、前記所定時間に基づいて、前記電子番組表データ管理サーバにアクセスしてテレビのチャンネル毎の前記電子番組表データを取得し、前記電子番組表データ管理サーバの判定部は、前記管理設定時間に亘って複数の前記取得部がアクセスしているかを個別に判定することを特徴とする。
【００１３】
従って、請求項１記載の電子機器監視システムにあっては、電子機器は、予め設定された所定時間の経過毎に繰り返しデータ管理サーバへアクセスして所定のデータを取得する取得部を備えることから、電子機器は、データ管理サーバへ取得部を介して所定時間毎にアクセスすると共に所定のデータを取得する。
【００１４】
データ管理サーバは、所定時間よりも長い時間間隔に設定された管理設定時間に亘って、電子機器の取得部がデータ管理サーバにアクセスしているか否かを判定する判定部を備えており、アクセスありと判定された場合には電子機器や電子機器とデータ管理サーバとの間のネットワークに故障や障害がないことが想定される。一方で、アクセスなしとの判定がなされた電子機器は何らかの故障や障害が発生している可能性がある。
【００１５】
さらにデータ管理サーバは、判定部により管理設定時間に亘ってデータ管理サーバにアクセスしていないと判定された電子機器の固有情報を特定して障害検知情報を生成する解析部と、解析部において生成された障害検知情報を閲覧可能に保持する情報保持部とを備えていることから、データ管理サーバにおいて管理設定時間が経過する間にアクセスがなかった電子機器の固有情報である障害検知情報が保持される。
また、録画装置は、取得部により電子番組表データ管理サーバにアクセスして電子番組表データを取得するように構成されていることから、録画装置は、電子番組表データ管理サーバへ取得部を介して所定時間毎にアクセスすると共に電子番組表のデータを取得する。一方で、電子番組表データ管理サーバは、判定部において管理設定時間が経過する間に録画装置からアクセスされたか否かを判定する。
また、信号変換部とデータ変換部及び取得部とは、テレビのチャンネル毎に個別に設けられると共に、録画装置に予め設定された所定時間は、テレビのチャンネル毎に個別に設定されており、電子番組表データ管理サーバの判定部は、管理設定時間に亘って複数の取得部がアクセスしているかをチャンネル毎に個別に判定することから、信号変換部とデータ変換部及び取得部の一連に故障がないチャンネルのみが電子番組表データ管理サーバにアクセスする。
【００１６】
請求項２記載の発明における電子機器監視システムにあっては、前記解析部は、前記管理設定時間に亘ってアクセスしていない前記電子機器の固有情報を一覧表に集計して前記障害検知情報を生成することを特徴とする。
【００１７】
請求項３記載の発明における電子機器監視システムにあっては、前記電子機器は、前記電子機器を構成する各構成部品に関する情報を取得して動作情報データを生成する情報生成部を備えており、前記データ管理サーバへ前記動作情報データを送信することを特徴とする。
【００１８】
従って、請求項３記載の電子機器監視システムにあっては、電子機器は、電子機器を構成する各構成部品に関する情報を取得して動作情報データを生成する情報生成部を備えており、データ管理サーバへ動作情報データを送信するように構成されていることから、データ管理サーバには個別の電子機器の各構成部品に関する情報が送信される。
【００１９】
請求項４記載の電子機器監視システムにあっては、前記電子機器は、モニタ装置を備えたコンピュータに接続されており、前記コンピュータは、前記電子番組表データ管理サーバと通信可能に接続されており、利用者の操作によるデータの取得の際には、前記コンピュータから前記電子番組表データ管理サーバにアクセスされることを特徴とする。
【００２０】
従って、利用者の操作によるデータの取得の際には、コンピュータから電子番組表保管サーバにアクセスされるように構成されていることから、利用者の操作による電子番組表データ管理サーバへのアクセスは、コンピュータと電子番組表データ管理サーバとの通信履歴として表れるため、録画装置からの電子番組表データ管理サーバへのアクセス履歴とは識別することができる。
【００２１】
請求項５記載の発明におけるデータ管理サーバにあっては、請求項１または請求項２のいずれか１項に記載の電子機器監視システムを構成するデータ管理サーバであることを特徴とする。
【発明の効果】
【００２２】
請求項１及び請求項１に従属する請求項５記載の電子機器監視システム及びデータ管理サーバにあっては、電子機器は、データ管理サーバへ取得部を介して所定時間毎にアクセスすると共に所定のデータを取得することから、データ管理サーバから電子機器にアクセスすることが無いため、電子機器のセキュリティ環境を脅かすことなく、電子機器が正常に稼働しているか否かの管理を行うことができる。
【００２３】
データ管理サーバの解析部は、管理設定時間が経過する間にアクセスがなく、判定部においてアクセスなしと判定され、何らかの故障や障害が発生している可能性がある電子機器について、電子機器の固有情報である障害検知情報を保持するため、電子機器の故障やネットワーク障害等の不具合を監視して早期に管理者側に知らせることができる。
【００２４】
従って、電子機器にＵＰＳ（無停電電源装置）を設置する必要がなく、コストを低減した状態で確実且つ早期に電子機器の不作動を検知でき、顧客からの連絡を待つことなくメンテナンスを行うことができ、メンテナンス効率を向上させることができる。
【００２５】
また、電子機器からデータ管理サーバへの定期的なデータ取得を利用してアクセス状況を管理するため、装置構成を簡素化することができ、大掛かりな監視装置を別個に設置する必要がなく導入しやすい。
また、請求項１記載の電子機器監視システムにあっては、テレビの全チャンネルにおいて放送された全番組を所定期間に亘って録画しうる録画装置であり、電子番組表データ管理サーバから電子番組表データを所定時間毎に取得するため、録画装置は常に最新の電子番組表データを保有しており、これに基づいてテレビの録画を行うことができる。
【００２６】
録画装置は、電子番組表データ管理サーバへ取得部を介して所定時間毎にアクセスすると共に電子番組表データを取得することから、電子番組表データ管理サーバから録画装置にアクセスすることが無いため、録画装置のセキュリティ環境を脅かすことがない。
【００２７】
電子番組表データ管理サーバの解析部は、管理設定時間が経過する間にアクセスがなく、判定部においてアクセスなしと判定され、何らかの故障や障害が発生している可能性がある録画装置について、録画装置の固有情報である障害検知情報を保持するため、録画装置の故障やネットワーク障害、停電等の不具合を監視して管理者側に知らせることができる。
【００２８】
また、録画装置から電子番組表データ管理サーバへの定期的な電子番組表データ取得を利用してアクセス状況を管理するため、装置構成を簡素化することができ、大掛かりな監視装置を別個に設置する必要がなく導入しやすい。
【００２９】
さらに、請求項１記載の録画装置監視システムにあっては、信号変換部とデータ変換部及び取得部の一連に故障がないチャンネルのみが電子番組表データ管理サーバにアクセスするため、管理者は障害検知情報を閲覧することによりチャンネル毎に故障状況を把握することができる。
【００３０】
請求項２及び請求項２に従属する請求項５記載の電子機器監視システム及びデータ管理サーバにあっては、電子機器の固有情報を一覧表に集計して障害検知情報を生成することから、管理者は障害検知情報を閲覧した際に一目で電子機器の固有情報を認識することができる。
【００３１】
請求項３記載の電子機器監視システムにあっては、データ管理サーバには個別の電子機器の各構成部品に関する情報が送信されることから、アクセスありという判定と、電子機器は正常に稼働しているという判断に加えて、例えば部品の動作状況や部品の前回交換年月日などの情報をデータ管理サーバに保存しておくことができるため、管理者は、データ管理サーバへのアクセスがなくなり、障害検知情報に掲載された電子機器の直前の情報を確認して、修理に際して適切な部品を準備することができる。
請求項４記載の録画装置監視システムにあっては、利用者の操作による電子番組表データ管理サーバへのアクセスと、録画装置からの電子番組表データ管理サーバへのアクセス履歴とは識別することができるため、電子番組表データ管理サーバにおいて、コンピュータからのアクセスありの判定により、録画装置の故障が発見できないといった不具合がなく、より確実に録画装置の故障やネットワーク障害等の不具合を監視して管理者側に知らせることができる。
【図面の簡単な説明】
【００３２】
【図１】図１は、本発明に係る電子機器監視システムの一実施の形態を示した構成図である。
【図２】図２は、本発明に係る電子機器監視システムの一実施の形態を示した機能構成図である。
【図３】図３は、本発明に係る電子機器監視システムの一実施の形態を示し、録画装置、電子番組表管理サーバ、管理者コンピュータ間のやり取りを時系列に沿って表わしたフローチャートである。
【図４】図４は、本発明に係る電子機器監視システムの一実施の形態を示し、（ａ）は録画装置における電子番組表データ受信動作、（ｂ）は電子番組表管理サーバにおける電子番組表データ送信動作、（ｃ）は電子番組表管理サーバにおける判定動作を示したフローチャートである。
【図５】図５は、本発明に係る電子機器監視システムにおいて生成される障害検知情報の一例を示した概念図である。
【発明を実施するための最良の形態】
【００３３】
以下、本発明に係る電子機器監視システムを実施の形態に基づき、図面を参照して詳細に説明する。
【００３４】
本実施の形態に係る電子機器監視システム全体の構成について図１を参照して説明する。図１に示すように、本実施の形態に係る電子機器監視システム１０は、電子機器１１と、所定のデータが保存されているデータ管理サーバ１２と、管理者コンピュータ１３とを備え、互いにネットワーク２５を介して通信可能に接続されている。
【００３５】
データ管理サーバ１２は、電子機器１１又はネットワーク２５の障害を検知して障害検知情報を作成すると共に障害検知情報を閲覧可能に保持する。
【００３６】
本実施の形態においては、電子機器１１は、テレビの全チャンネルにおいて放送された全番組を所定期間に亘って録画しうる録画装置であると共に、所定のデータは電子番組表データであり、データ管理サーバ１２は、電子番組表データを有する電子番組表データ管理サーバである。
【００３７】
また、図１に示すように、録画装置１１には、電波塔１４からのデジタル放送を受信する受信用アンテナ１５が備えられ、アンテナケーブルにより接続されている。録画装置１１は、地上波デジタル放送の全６チャンネルにおいて放送された全番組を３週間に亘って録画することが可能である。
【００３８】
図１に示すように、録画装置１１は、利用者宅に設置され、モニタ装置１６を備えた利用者コンピュータ１７に接続されている。図１の例では、録画装置１１及び利用者コンピュータ１７は各１台示されているが複数台あってもよい。
【００３９】
管理者コンピュータ１３及び利用者コンピュータ１７は、パーソナルコンピューターに限定されず、ＰＤＡなどであってもよい。
【００４０】
ネットワーク２５は、録画装置１１、電子番組表データ管理サーバ１２、管理者コンピュータ１３、利用者コンピュータ１７を双方向通信又は一方向通信可能に接続する通信網であり、例えば、インターネット、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）などで構成されており、有線か無線かを問わない。
【００４１】
次に、電子機器監視システム１０を構成する各装置の機能構成について図面を参照して説明する。
まず、録画装置１１の機能構成について図面を参照して説明する。
以下、本実施の形態においては、録画装置１１は地上波デジタル放送を録画し再生しうるものとして説明するが、例えば、ＢＳデジタル放送用の受信用のアンテナやチューナを備えればＢＳデジタル放送を録画し再生しうることは勿論である。
【００４２】
図２に示すように、本実施の形態に係る録画装置１１は、制御部３３、取得部１９、記憶部２２、所定時間設定部２４、信号入出力部３７、放送受信部１５、信号変換部２０、データ変換部２１、情報生成部３１及び時計部３２より構成されている。本実施の形態においては、放送受信部１５は受信用アンテナである。
【００４３】
制御部３３は、例えば、ＣＰＵ、ＲＯＭ、ＲＡＭなどにより構成され、各構成要素１９，２２，２４，３７，１５，２０，２１，３１，３２にバスラインによって接続されており全体の動作を制御する。本実施の形態においては、６コアＣＰＵであり、６チャンネル分備えられた各構成要素に対して同時に動作実行指示ができる。
【００４４】
取得部１９は、例えば、ＣＰＵ、ＲＯＭ、ＲＡＭ及び通信装置などにより構成される。取得部１９は、電子番組表データ管理サーバ１２からネットワーク２５を介して電子番組表データを取得するものであり、予め設定された所定時間の経過毎に繰り返し電子番組表データ管理サーバ１２へアクセスして電子番組表データを取得する。
【００４５】
所定時間設定部２４は、例えば、ＲＯＭ、ＳＳＤなどにより構成され、録画装置１１の製造時に操作入力手段を有する端末を接続して、所定時間を入力して保持しうる。録画装置１１に予め設定された所定時間は、テレビの地上波デジタル放送６チャンネルのチャンネル毎に個別に設定されている。本実施の形態においては、所定時間は、起算開始時間１０：００（午前１０時）として２４時間と設定されている。
【００４６】
信号変換部２０は、受信したデジタル放送を映像信号に変換して出力する。本実施の形態においては、信号変換部２０は地上波デジタル放送に対応したデジタル放送用チューナである。
【００４７】
データ変換部２１は、例えば、ＭＰＥＧ２エンコーダであり、信号変換部２０より出力された映像信号を圧縮して保存用データを生成する。
記憶部２２は、例えば、ハードディスクであり、データ変換部２１において生成された保存用データ及び電子番組表データを保存する。
【００４８】
信号変換部２０とデータ変換部２１と取得部１９は、テレビのチャンネル毎に個別に設けられている。図２においては、信号変換部２０とデータ変換部２１、取得部１９は、便宜上各１つずつ図示しているが、実際には信号変換部２０とデータ変換部２１、取得部１９は、６個設けられて夫々チャンネル毎に割り当てられており、バスラインを介して個別に制御部３３へ接続されている。
【００４９】
録画装置１１に予め設定された所定時間は、テレビのチャンネル毎に個別に設定されており、録画装置１１の取得部１９は、所定時間に基づいて、所定時間が経過する度に繰り返し電子番組表データ管理サーバ１２にアクセスしてテレビのチャンネル毎の電子番組表データを取得するように構成されている。
【００５０】
情報生成部３１は、例えば、ＣＰＵ、ＲＯＭ、ＲＡＭなどにより構成され、制御部３３より入力される動作不良情報である動作エラー信号と、記憶部２２を参照して得られる空き容量情報に基づいて動作情報データを生成する。
【００５１】
具体的には、制御部３３は、録画装置１１を構成する各構成部品１９，２０，２１，２２を制御して録画又は再生動作を行う。各構成部品１９，２０，２１，２２を動作させた際に、動作エラーが発生しているかをチェックして動作エラーが発生している場合には、情報生成部３１に該当する構成部品の情報を含む動作エラー信号を出力する。
【００５２】
情報生成部３１は、記憶部２２を参照してデータ保存に関する空き容量の情報を取得して動作エラー信号に付与して動作情報データを生成する。
【００５３】
信号入出力部３７は、例えば、ＵＳＢ端子、ＬＡＮ端子、ＨＤＭＩ（登録商標）端子より構成され、利用者コンピュータ１７からの制御信号の入力や再生する番組の映像信号の出力を行う。時計部３２は、デジタル時計であり日時情報を保持している。
【００５４】
次に、電子番組表データ管理サーバ１２の機能構成について図面を参照して説明する。
図２に示すように、電子番組表データ管理サーバ１２は、管理設定時間設定部２６、判定部２７、解析部２８、情報保持部２９、電子番組表データ記憶部３４、時計部４８、アクセス履歴記憶部３０及び認証ＤＢ４７により構成されている。
【００５５】
管理設定時間設定部２６は、例えば、ＲＯＭ、ＳＳＤなどにより構成され、管理者コンピュータ１３よりアクセスして管理設定時間を入力または変更して、保持しうる。
【００５６】
管理設定時間は、録画装置１１からのアクセス間隔である所定時間よりも長い時間間隔に設定されている。
【００５７】
判定部２７は、例えば、ＣＰＵ、ＲＯＭ、ＲＡＭなどにより構成され、録画装置１１側で設定されている所定時間よりも長い時間間隔に設定された管理設定時間に亘って、録画装置１１の各取得部１９，１９．．が電子番組表データ管理サーバ１２にアクセスしているか否かを判定する。本実施の形態においては、判定部２７は、管理設定時間に亘って、６チャンネル分設けられた各取得部１９，１９．．がアクセスしているかを個別に判定するように構成されている。また、ネットワーク２５を介して通信可能に構成されている。
【００５８】
解析部２８は、例えば、ＣＰＵ、ＲＯＭ、ＲＡＭなどにより構成され、判定部２７により管理設定時間に亘って電子番組表データ管理サーバ１２にアクセスしていないと判定された録画装置１１の固有情報を特定して障害検知情報を生成する。ここで、解析部２８は、演算プログラムを備えており、管理設定時間に亘ってアクセスしていない録画装置１１の固有情報を一覧表に集計することにより障害検知情報を生成する。
【００５９】
本実施の形態においては、解析部２８は、録画装置１１の固有情報に加えて取得部１９の固有情報も一覧表に集計して障害検知情報を生成するよう構成されている。
【００６０】
情報保持部２９は、例えば、ＲＯＭ、ＳＳＤなどにより構成され、解析部２８において生成された障害検知情報を閲覧可能に保持する。本実施の形態においては、障害検知情報は、データファイルとして保存され、管理者は管理者コンピュータ１３より情報保持部２９へアクセスすることにより前記データファイルを開き閲覧することができる。
電子番組表データ記憶部３４は、例えばＲＯＭ、ＳＳＤなどにより構成され、チャンネル毎に６個の電子番組表データが保存されている。
【００６１】
アクセス履歴記憶部３０は、例えば、ＲＯＭ、ＳＳＤなどにより構成され、録画装置１１の取得部１９が電子番組表データ管理サーバ１２にアクセスした際に生成されるアクセス情報や録画装置１１の各構成部品の動作情報に関する動作情報データが保存される。時計部４８は、デジタル時計であり日時情報を保持している。
【００６２】
認証ＤＢ４７は、例えば、ハードディスクなどにより構成され、録画装置１１及び録画装置１１の各取得部１９，１９．．の固有情報が保存されている。
【００６３】
利用者コンピュータ１７の機能構成について図面を参照して説明する。
図２に示すように、利用者コンピュータ１７は、モニタ装置１６と利用者コンピュータ本体３６と操作部３５から構成されており、モニタ装置１６は、例えば、液晶モニタであり、操作部３５は、例えば、キーボードである。
【００６４】
利用者コンピュータ本体３６は、利用者側信号入出力部３８と利用者コンピュータ制御部３９と通信部４０により構成されている。
通信部４０及び利用者側信号入出力部３８は、利用者コンピュータ制御部３９とバスラインにより接続されている。利用者コンピュータ本体３６とモニタ装置１６は、例えばディスプレイケーブルなどで接続されており、利用者コンピュータ本体３６と操作部３５はＵＳＢケーブルで夫々接続されている。利用者コンピュータ制御部３９とモニタ装置１６や操作部３５との通信手段は有線に限らず無線であってもよい。
【００６５】
利用者側信号入出力部３８は、例えば、ＵＳＢ端子、ＬＡＮ端子などにより構成され、録画装置１１への制御信号の出力や録画装置１１からの再生する番組の映像信号の入力を行う。
【００６６】
また、通信部４０は、例えば、ＣＰＵ、ＲＯＭ、ＲＡＭなどにより構成され、電子番組表データ管理サーバ１２とネットワーク２５を介して通信可能に接続されている。利用者の操作によるデータの取得、例えば過去の電子番組表データの取得などの際には、録画装置１１を介せずに利用者コンピュータ１７の通信部４０より電子番組表データ管理サーバ１２にアクセスされる。
【００６７】
録画装置１１と利用者コンピュータ本体３６は、信号入出力部３７及び利用者側信号入出力部３８を互いにＵＳＢケーブル、ＨＤＭＩ（登録商標）ケーブル及びＬＡＮケーブルにて情報伝達可能に接続されている。また、利用者コンピュータ本体３６とモニタ装置１６は互いにＨＤＭＩ（登録商標）ケーブルにて接続されている。
【００６８】
上記の構成に加えて、利用者コンピュータ本体３６は、録画装置１１を経由せずに直接に電子番組表データ管理サーバ１２とネットワークを介して通信可能に接続されている。利用者が操作部３５を操作して、例えば、過去の電子番組表などのデータの取得を行う際には、利用者コンピュータ１７から電子番組表データ管理サーバ１２にアクセスされるように構成されている。
【００６９】
管理者コンピュータ１３の機能構成について図面を参照して説明する。
図２に示すように、管理者コンピュータ１３は、モニタ装置４１と管理者コンピュータ本体４２と操作部４３とから構成されており、モニタ装置４１は、例えば、液晶モニタであり、操作部４３は、例えば、キーボードである。
【００７０】
また、通信部４４は、例えば、ＣＰＵ、ＲＯＭ、ＲＡＭなどにより構成され、電子番組表データ管理サーバ１２にネットワーク２５を介して通信可能に接続されている。
【００７１】
管理者コンピュータ本体４２は、データ記憶部４５と管理者コンピュータ制御部４６と通信部４４とにより構成されている。録画装置１１の管理者が、電子番組表データを作成したり、電子番組表データ管理サーバ１２へアクセスして作成した電子番組表データを記録したり、障害検知情報を閲覧するための装置である。
【００７２】
データ記憶部４５は、例えば、ハードディスクであり、管理者が作成した電子番組表データを記録しておくことができる。
【００７３】
通信部４４及びデータ記憶部４５は、管理者コンピュータ制御部４６とバスラインにより接続されている。管理者コンピュータ本体４２とモニタ装置４１とは互いにＨＤＭＩ（登録商標）ケーブルで、管理者コンピュータ本体４２と操作部４３はＵＳＢケーブルで夫々接続されている。利用者コンピュータ制御部４６とモニタ装置４１や操作部４３との通信手段は有線に限らず無線であってもよい。
【００７４】
以下、本実施の形態に係る電子機器監視システムの動作について詳細に説明する。
まず、録画装置１１における録画及び再生の動作について説明する。
図１に示すように、電波塔１４から送信されるデジタル放送電波は、図２に示すように受信用アンテナ１５を介してデジタル放送用チューナ２０にて受信され映像信号に変換される。
【００７５】
図２に示すように、制御部３３は、チャンネル毎に個々に取得された最新の電子番組表データとデジタル放送用チューナ２０にて受信し変換された映像信号とに基づいて番組録画を行う。
【００７６】
デジタル放送の録画及び再生については、制御部３３によって実行指示されることにより、以下の動作が実行される。まず制御部３３は、利用者コンピュータ１７からの録画指示があるかを確認する。本実施の形態においては、全６チャンネルの放送番組全てを３週間に亘って録画する録画指示がされている場合を例に説明する。
【００７７】
図２に示すように、制御部３３は、利用者コンピュータ１７からの録画指示を認識すると、デジタル放送用チューナ２０に地上波デジタル放送電波が受信されているかを確認する。
【００７８】
受信されている場合には、制御部３３は、デジタル放送用チューナ２０に対し動作実行指示を送り、デジタル放送用チューナ２０は、デジタル放送電波を映像信号に変換する。
【００７９】
図２に示すように、制御部３３は、映像信号を動作実行指示と共にＭＰＥＧ２エンコーダ２１へ出力する。ＭＰＥＧ２エンコーダ２１は、映像信号をＭＰＥＧ２形式へ圧縮変換された保存用データを生成する。
【００８０】
保存用データは、記憶部２２へと保存される。本実施の形態においては、保存用データは映像情報ファイルである。制御部３３は、同じく記憶部２２に保存された電子番組表データと時計部３２とを参照して、番組毎に個別の映像情報ファイルを生成して記憶部２２へ保存する。
【００８１】
再生を行う場合には、利用者は、利用者コンピュータ１７を操作して再生したい番組を選択すると共に実行を指示する。録画装置１１の制御部３３は、ＵＳＢケーブルを介して利用者コンピュータ１７からの再生指示信号を受信して、対象となる番組の保存用データ（ＭＰＥＧ２ファイル）を信号入出力部３７よりＬＡＮケーブルを通じて利用者コンピュータ本体３６へ送信する。
【００８２】
保存用データは、利用者コンピュータ制御部３９に予めインストールされたデータ変換プログラムによって映像信号に変換され、利用者コンピュータ本体３６からＨＤＭＩ（登録商標）ケーブルを通じてモニタ装置１６に転送されることにより再生される。
【００８３】
次に、動作情報データの生成について説明する。
録画動作の実行に際して、制御部３３は、各構成部品２０，２１を動作させた際に、動作エラーが発生しているかをチェックして動作不具合が発生している場合には、動作エラー信号を情報生成部３１へ入力する。
【００８４】
動作エラーの判定は、例えば、各構成部品２０，２１に対して動作実行指示をした場合に、デジタル放送用チューナ２０であれば映像信号、データ変換部２１であれば保存用データといった各構成部品２０，２１の動作による結果物が得られたか否かで判定されればよい。
【００８５】
動作エラー信号には、対象となる構成部品の種類に関する情報と６チャンネルの何れのチャンネルの構成部品であるかを示す情報とが含まれている。本実施の形態においては、信号変換部２０には「Ａ」、データ変換部２１には「Ｂ」のように夫々アルファベットコードが割り当てられていると共に、チャンネル番号を示す１から６の数字コードが付加されている。
例えば、動作エラー信号に「Ｂ２」という情報が含まれている場合には、２チャンネルの系統を構成するデータ変換部に不具合があることを示す。
【００８６】
情報生成部３１は、記憶部２２を参照してデータ保存に関する空き容量の情報を取得して、動作エラー信号に付与することにより動作情報データを生成する。
【００８７】
動作情報データの生成は、例えば、ＧＢ（ギガバイト）単位で表わされる空き容量の数字を、動作エラー信号に含まれる情報の頭文字として付与することにより達成され、２０ＧＢの空き容量であれば前述の情報「Ｂ２」に付与されて「２０Ｂ２」という動作情報データが生成される。動作情報データは、チャンネルの系統毎に６個生成されて情報生成部３１に保存される。
【００８８】
以下、電子機器監視システム１０の動作について図を参照しながら説明する。以下、利用者は、利用者コンピュータ１７より、６チャンネル全ての番組を３週間に亘って連続録画するように録画装置１１に指示をした例を説明する。
【００８９】
まず、電子番組表データ管理サーバ１２の電子番組表データの更新の際の処理動作について時系列に沿って説明する。
【００９０】
図２及び図３に示すように、管理者は、時刻０６：００前に、管理者コンピュータ１３のモニタ装置４１と操作部４３を利用して最新の電子番組表データを作成し、データ記憶部に記憶させる（Ｓ１０１）。その際、電子番組表データは、チャンネル毎に６個のデータが個別に作成されて記憶される。
ここで、電子番組表データは、例えば、当日０６：００から翌日０６：００の２４時間分の電子番組表データである。
【００９１】
次に、管理者は、時刻が０６：００（午前６時）となった際に、通信部４４よりネットワーク２５を介して、電子番組表管理サーバ１２の判定部２７にアクセスして、予め作成した６チャンネル分の最新の電子番組表データを送信する（Ｓ１０２）。
【００９２】
電子番組表管理サーバ１２の判定部２７は、管理者コンピュータ１３から６チャンネル分個別の最新の電子番組表データを受信すると、夫々電子番組表データ記憶部３４に上書きすることにより更新する（Ｓ１０３）。
【００９３】
ここで、電子番組表データの更新は管理者の手操作によらず、例えば、プログラムにより一定時間毎に判定部２７へ電子番組表データを送信して自動更新するように構成しても良い。
【００９４】
以下、録画装置１１の機能と電子番組表データ管理サーバ１２との処理動作について時系列に沿って説明する。
図２及び図３に示すように、本実施の形態においては、録画装置１１の所定時間設定部２４には、製造時に予め所定時間が入力され保存されている。本実施の形態においては、所定時間として起算時間である１０：００（午前１０時）と繰り返し単位である２４時間という情報が設定されている。
【００９５】
録画装置１１は、時計部３２が時刻１０：００（午前１０時）となると電子番組表データ要求信号を電子番組表データサーバ１２へ送信する（Ｓ１０４）。
【００９６】
電子番組表データサーバ１２は、録画装置１１より電子番組表データ要求信号を受信した場合には、管理者によって時刻０６：００（午前６時）に更新された最新の電子番組表データを送信する（Ｓ１０５）。
【００９７】
録画装置１１は、電子番組表データサーバ１２より最新の電子番組表データを受信した場合には、記憶部２２に保存して更新する。また、構成部品に関する動作情報データを電子番組表データサーバ１２へと送信する（Ｓ１０６）。
【００９８】
電子番組表データサーバ１２は、録画装置１１より動作情報データを受信した場合には、動作情報データをアクセス履歴記憶部３０に保存する（Ｓ１０７）。
【００９９】
以下、録画装置１１の動作について図を参照しながら詳細に説明する。
図２及び図４（ａ）に示すように、録画装置１１が起動されると、制御部３３は、所定時間設定部２４に保存された所定時間と時計部３２の参照を開始する（ＳＡ０１）。
【０１００】
制御部３３は、時計部３２の時刻が起算時間である１０：００（午前１０時）になったことを確認した際には（ＳＡ０２）、テレビのチャンネル毎に設けられた６個の取得部１９，１９．．に夫々処理実行の指示を行う（ＳＡ０３）。
【０１０１】
取得部１９，１９．．は、電子番組表データ管理サーバ１２の判定部２７に対して、録画装置１１と取得部１９の固有情報を含んだ電子番組表データ要求信号を送信する（ＳＡ０４）。
【０１０２】
ここで、録画装置１１の固有情報とは、製造した録画装置の個々を重複せずに識別することができればよく、例えば、「ＡＢＣＤ」のように４桁のアルファベットの組み合わせにより構成することができる。
【０１０３】
また、取得部１９の固有情報とは、何れのチャンネルの取得部１９であるかを特定することができればよく、例えば取得部という部品に「Ｚ」を対応させ、さらに１から６のチャンネルを表わす数字を付与して構成することができる。例えば「Ｚ１」であれば１チャンネルの取得部であることを示す。
【０１０４】
従って、「ＡＢＣＤ」「Ｚ１」という固有情報から、ＡＢＣＤという録画装置の１チャンネルの取得部であることが特定できる。固有情報には、さらに本電子機器監視システム１０固有のコードを含めておくことにより、ネットワーク２５を介した本電子機器監視システム１０以外からの不正なアクセスとの識別をすることもできる。
【０１０５】
録画装置１１の取得部１９は、電子番組表データ管理サーバ１２の判定部２７より、管理者により同日０６：００（午前６時）に更新された最新の電子番組表データを受信したかを確認し（ＳＡ０５）、受信した場合には電子番組表データを記憶部２２へ保存する（ＳＡ０６）。本実施の形態においては、電子番組表データは、新たに受信する度に上書き保存される。
【０１０６】
また、制御部３３は、情報生成部３１を参照して、保存されている録画装置１１を構成する各構成部品２０，２１に関する情報と記憶部２２の空き容量からなる動作情報データを電子番組表データ管理サーバ１２の判定部２７へ送信する（ＳＡ０７）。
【０１０７】
以上の動作は１から６チャンネルの系統夫々の取得部１９によって３週間にわたって毎日繰り返し行われる。
【０１０８】
以下、電子番組表データ管理サーバ１２の動作について図を参照しながら詳細に説明する。
まず、録画装置１１とのやりとりの動作について説明する。
図２及び図４（ｂ）に示すように、電子番組表データ管理サーバ１２の判定部２７は、例えば、１チャンネルの取得部１９からの電子番組表データ要求信号の受信があったかを確認する（ＳＢ０１）。受信があった場合には、電子番組表データ要求信号に含まれる「ＡＢＣＤ」「Ｚ１」という固有情報を抽出すると共に認証ＤＢ４７を参照する（ＳＢ０２）。
【０１０９】
認証ＤＢ４７には、製造された録画装置１１と取得部１９の固有情報が予め保存されており、判定部２７は、電子番組表データ要求信号に含まれる固有情報「ＡＢＣＤ」「Ｚ１」と同一の固有情報が認証ＤＢ４７に存在するかを確認して認証する（ＳＢ０３）。
【０１１０】
認証が得られた場合には、判定部２７は、取得部１９の固有情報の末尾にあるチャンネルに関する情報を参照する（ＳＢ０４）。該当する電子番組表データを選択し（ＳＢ０５）、取得部１９へ送信する（ＳＢ０６）。取得部１９の固有情報が「Ｚ１」であれば１チャンネルの電子番組表データがＺ１の取得部１９に対して送信される。
【０１１１】
ここで、電子番組表データの選択は、例えば、チャンネル毎に保存される６個の電子番組表データのデータファイルの名称等に、１から６までの何れかの数字を付与しておく一方で、判定部２７は、取得部１９の固有情報「Ｚ１」のチャンネル情報である末尾の「１」という数字を参照して、「１」が付与されたデータファイルを選択するように構成すればよい。
【０１１２】
次に、判定部２７は、取得部１９から構成部品の動作情報データを受信したかを確認する（ＳＢ０７）。受信した場合には、動作情報データと録画装置１１及び取得部１９の固有情報とを付合させてデータファイルを作成しアクセス履歴記憶部３０に保存する（ＳＢ０８）。
【０１１３】
このとき、判定部２７は、時計部４８を参照して日時情報を取得すると共に、日時情報と取得部１９からのアクセス要求信号に含まれる録画装置１１及び取得部１９の固有情報とを付合してアクセス情報を生成してアクセス履歴記憶部３０へ保存する（ＳＢ０９）。
【０１１４】
本実施の形態においては、アクセス履歴記憶部３０には、日時情報と例えば「ＡＢＣＤ」「Ｚ１」などの録画装置１１及び取得部１９の固有情報からなるアクセス情報がチャンネル毎に６個生成される。
【０１１５】
次に、判定の処理動作について説明する。
電子番組表データ管理サーバ１２の管理設定時間設定部２６には、予め所定時間である２４時間という時間間隔よりも長い４８時間という管理設定時間が設定されている。
【０１１６】
図２及び図４（ｃ）に示すように、電子番組表データ管理サーバ１２の判定部２７は、管理設定時間設定部２６と時計部４８を参照し（ＳＢ１０）、管理設定時間が経過したかを確認する（ＳＢ１１）。
【０１１７】
管理設定時間である４８時間を経過した場合には、アクセス履歴記憶部３０を参照する（ＳＢ１２）。１から６チャンネルの各取得部１９，１９．．に関するアクセス情報のうち、管理設定時間内にアクセス情報が更新されていない取得部１９をアクセスしていない取得部１９であると判定する（ＳＢ１３）。具体的にはアクセス情報に含まれるアクセス日時に関する日時情報を参照して管理設定時間と比較することにより判定される。
【０１１８】
判定部２７は、アクセスしていないと判定した取得部１９のアクセス情報と動作情報データを解析部２８へ送ると共に動作実行指示を行う（ＳＢ１４）。解析部２８は、判定部２７によってアクセスしていないと判定された取得部１９のアクセス情報に含まれる録画装置１１及び取得部１９の固有情報を特定する。
【０１１９】
また、解析部２８は、特定した固有情報に基づいて同じ固有情報を含む動作情報データを選択する。解析部２８は、録画装置１１及び取得部１９の固有情報と動作情報データに含まれる記憶部２２の空き容量に関する情報と構成部品の動作エラー信号を演算プログラムにより演算して所定形式の一覧表に入力し、これを障害検知情報として情報保持部２９に保存する（ＳＢ１５）。障害検知情報はデータファイルであり、データファイルを選択及び展開することにより閲覧可能である。
【０１２０】
解析部２８は、４８時間に１回の間隔で判定部２７より送信されるアクセス情報及び構成部品に関する動作情報データを基に障害検知情報のデータファイルを生成して上書き保存する。
【０１２１】
ここで、演算プログラムは表計算などが可能な既存の演算プログラムを用いれば良い。図５に示すように、本実施の形態における一覧表とは、枠状体５０を碁盤の目状に仕切られ、左側から順に、日付欄５１、時間欄５２、録画装置の固有情報欄５３、取得部の固有情報欄５４、記憶部２２の空き容量に関する情報欄５５、構成部品の動作エラー信号の情報欄５６を並列させることにより、構成されている。また、日時順に縦方向に並べられることにより達成される。例えば、日付毎に表示色を変更することによりさらに見易くすることもできる。
【０１２２】
以下、本実施の形態に係る電子機器監視システム１０の作用について説明する。
本実施の形態に係る電子機器監視システム１０は、以上のように構成されていることから、毎日０６：００（午前６時）に電子番組表データ管理サーバ１２内の電子番組表データが最新のものに更新され、録画装置１１は毎日１０：００（午前１０時）に当該電子番組表データを取得することから、録画装置１１は日々最新の電子番組表データに基づいて録画を行うことができる。
【０１２３】
ここで、毎日１０：００（午前１０時）にアクセスするように設定されている各取得部１９，１９．．が、４８時間に亘って電子番組表データ管理サーバ１２にアクセスしていない場合、録画装置１１や録画装置１１の各構成部品又はネットワーク２５に何らかの障害が発生した可能性が高い。
【０１２４】
所定時間の時間間隔である２４時間に対して、管理設定時間を倍の４８時間に設定することにより、アクセスしていないと判定される録画装置１１及び取得部１９は、２回に亘ってアクセスしていないこととなり、一時的な不具合ではなく恒久的な不具合である可能性が高くなるため、より確実な管理をすることができる。
【０１２５】
管理者は、管理者コンピュータ１３より電子番組表データ管理サーバ１２の判定部２７を介して情報保持部２９にアクセスして障害検知情報のデータファイルを閲覧することにより、各構成部品又はネットワーク２５に何らかの障害が発生した可能性が高い録画装置１１の固有情報を得ることができると共に、１から６のチャンネルのうち、どのチャンネルの系統のどの部品に故障等の障害が発生した可能性が高いかを認識することができる。
【０１２６】
さらに、管理者は、特定の録画装置１１において全ての１から６のチャンネルの各取得部１９，１９．．全ての固有情報が障害検知情報として保存されている場合には、単にチャンネルの系統の障害や故障ではなく、ネットワーク２５に障害が発生している、若しくは停電の事態となっている可能性が高いものと認識することができる。
【０１２７】
このように構成することにより、障害や故障を管理者側でいち早く察知して、利用者からの連絡を待たずに管理者側から利用者に連絡を取ることができると共に、障害や故障が生じている可能性が高い部品を選択して持参することにより早急なメンテナンス対応が可能となる。
【０１２８】
また、このように管理者側から利用者へ連絡をすることができるため、利用者に対して積極的なメンテナンス活動が可能となり好印象を得ることができると共に、例えば、障害や故障が生じたまま放置され、いつの間にか利用されなくなってしまう事態を未然に防ぐこともできる。
【０１２９】
また、利用者の操作によるデータの取得、例えば過去の電子番組表データの取得などの際には、録画装置１１を介せずに利用者コンピュータ１７の通信部４０より電子番組表データ管理サーバ１２にアクセスされるため、判定部２７は録画装置１１の取得部１９からのアクセスとは識別することができる。
【０１３０】
前記実施の形態においては、利用者の操作によるデータの取得と、定期的に行われる録画装置１１の取得部１９からのアクセスとを識別するために、利用者コンピュータ１７あるいは録画装置１１のように、アクセスする側の電子機器を異なるものとすることにより行われる例を説明したが、これに限定されることはなく、例えば、電子番組表データ要求信号の中に識別子を設けると共に、判定部２７においてアクセス要求信号の中に含まれる識別子を解析して、定期的に行われる録画装置１１の取得部１９からのアクセスであるのか否かを判定させる機能を付加しても良い。
また、利用者の操作によるデータの取得の際と、定期的に行われる録画装置１１の取得部１９からのアクセスの際とで異なる予めＵＲＬを設定しておくことにより、いずれのＵＲＬへのアクセスがされたかにより識別することもできる。
【０１３１】
前記実施の形態においては、電子機器１１は録画装置であると共にデータ管理サーバ１２は電子番組表データ管理サーバである例を説明したが、これに限定されることはなく、電子機器とデータ管理サーバの関係は、例えば、会計処理ソフトがインストールされた利用者パーソナルコンピューターと会計処理のプログラムやデータなどを保有するサーバであっても良い。また、データ管理サーバはクラウド上に設けられても良い。
【０１３２】
前記実施の形態においては、所定時間は２４時間であり、管理設定時間は４８時間である例を説明したが、所定時間よりも管理設定時間の方が長ければ良く、例えば所定時間を７２時間、管理設定時間を１６８時間のように設定することもできる。ただし、所定時間及び管理設定時間は、より短い方が小刻みに電子機器の状況を確認することができる点で有意である。
【産業上の利用可能性】
【０１３３】
本発明に係る電子機器監視システム及びデータ管理サーバは、電子機器やネットワークの障害を管理者側で監視してメンテナンス等に役立てることができ、産業上利用可能性を有している。
【符号の説明】
【０１３４】
１０    電子機器監視システム
１１    電子機器
１２    データ管理サーバ
１３    管理者コンピュータ
１４    電波塔
１５    受信用アンテナ
１６    モニタ装置
１７    利用者コンピュータ
１９    取得部
２０    デジタル放送用チューナ
２１    ＭＰＥＧ２エンコーダ
２２    記憶部
２４    所定時間設定部
２５    ネットワーク
２６    管理設定時間設定部
２７    判定部
２８    解析部
２９    情報保持部
３０    アクセス履歴記憶部
３１    情報生成部
３２    時計部
３３    制御部
３４    電子番組表データ記憶部
３５    操作部
３６    利用者コンピュータ本体
３７    信号入出力部
３８    利用者側信号入出力部
３９    利用者コンピュータ制御部
４０    通信部
４１    モニタ装置
４２    管理者コンピュータ本体
４３    操作部
４４    通信部
４５    データ記憶部
４６    管理者コンピュータ制御部
４７    認証ＤＢ
４８    時計部
５０    枠状体
５１    日付欄
５２    時間欄
５３    録画装置の固有情報欄
５４    取得部の固有情報欄
５５    記憶部の空き容量に関する情報欄
５６    構成部品の動作エラー信号の情報欄
【図１】
0006697259.tif 000002
【図２】
0006697259.tif 000003
【図３】
0006697259.tif 000004
【図４】
0006697259.tif 000005
【図５】
0006697259.tif 000006